(57)【特許請求の範囲】
【請求項１】
印刷開始時に中間転写ベルトに二次転写ローラを当接し、当該印刷完了時からの経過時間が予め設定された所定のローラ離間時間を超過すると、前記中間転写ベルトから前記二次転写ローラを離間する画像形成装置において、
前記印刷完了時から次の印刷開始時までの次印刷開始時間を計測する時間計測手段と、
前記次印刷開始時間と前記ローラ離間時間とを比較して、当該次印刷開始時間が当該ローラ離間時間よりも短いか長いかを判定する時間判定手段と、
前記判定の結果、前記次印刷開始時間が前記ローラ離間時間よりも短い場合、当該ローラ離間時間を長く変更し、前記次印刷開始時間が前記ローラ離間時間よりも長い場合、当該ローラ離間時間を短く変更する時間変更手段と
を備えることを特徴とする画像形成装置。
【請求項２】
前記時間判定手段は、今まで計測された所定数の次印刷開始時間の平均値を算出して、当該算出された平均値を前記次印刷開始時間とする
請求項１に記載の画像形成装置。
【請求項３】
前記時間計測手段は、前記印刷完了時からの経過時間が、予め設定されたスリープ時間を超過すると、当該スリープ時間を次印刷開始時間として計測する
請求項１又は２に記載の画像形成装置。
【請求項４】
前記時間変更手段は、前記次印刷開始時間が前記ローラ離間時間よりも短い場合、短い次印刷開始時間が代入される程、長いローラ離間時間が出力される式であって、且つ、出力されるローラ離間時間が前記スリープ時間を超過した際に、当該スリープ時間と同一の値が出力される式を用いて前記ローラ離間時間を長く変更し、
前記次印刷開始時間が前記ローラ離間時間よりも長い場合、長い次印刷開始時間が代入される程、短いローラ離間時間が出力される式であって、且つ、出力されるローラ離間時間が負の値となった際に、０ｓｅｃの値が出力される式を用いて前記ローラ離間時間を短く変更する
請求項１−３のいずれか一項に記載の画像形成装置。
【請求項５】
印刷開始時に中間転写ベルトに二次転写ローラを当接し、当該印刷完了時からの経過時間が予め設定された所定のローラ離間時間を超過すると、前記中間転写ベルトから前記二次転写ローラを離間する画像形成装置の画像形成方法において、
前記印刷完了時から次の印刷開始時までの次印刷開始時間を計測する時間計測ステップと、
前記次印刷開始時間と前記ローラ離間時間とを比較して、当該次印刷開始時間が当該ローラ離間時間よりも短いか長いかを判定する時間判定ステップと、
前記判定の結果、前記次印刷開始時間が前記ローラ離間時間よりも短い場合、当該ローラ離間時間を長く変更し、前記次印刷開始時間が前記ローラ離間時間よりも長い場合、当該ローラ離間時間を短く変更する時間変更ステップと
を備えることを特徴とする画像形成方法。
【請求項６】
請求項５に記載の画像形成方法をコンピュータに実行させるためのプログラム。
【請求項７】
請求項６に記載のプログラムを記憶したコンピュータに読み取り可能な記憶媒体。
【発明の詳細な説明】
【技術分野】
【０００１】
本発明は、画像形成装置及び画像形成方法に関し、詳しくは、二次転写ローラを接離するモータの長寿命化と、当該二次転写ローラの押圧による中間転写ベルトの損傷防止とを両立することが可能な画像形成装置及び画像形成方法に関する。
【背景技術】
【０００２】
カラープリンタ、カラー複合機等に代表される画像形成装置では、感光体などの潜像担持体に対して光ビームを照射して静電潜像を形成するとともに、当該静電潜像をトナーにより現像してトナー像を形成している。更に、前記画像形成装置は、前記形成されたトナー像を中間転写媒体に一次転写させた後、適切なタイミングで記録媒体に二次転写するよう構成されている。
【０００３】
ここで、前記画像形成装置において、前記二次転写を行うためには、二次転写ローラなどの二次転写手段が、前記中間転写媒体に対して接離自在に設けられるとともに、当該中間転写媒体への二次転写手段の当接タイミングが適切に制御されている。
【０００４】
前記当接タイミングが制御された画像形成装置では、適切なタイミングで帯電ローラによる帯電処理が開始され、その後に露光処理がなされて静電潜像が感光体上に形成される。次に、所定のトナー、例えば、イエロートナーを内蔵する現像器により静電潜像が現像されてイエロートナー像が形成されるとともに、当該トナー像が、前記中間転写媒体に一次転写される。
【０００５】
このような像形成工程（帯電処理〜露光処理〜現像処理〜一次転写処理）が、イエローに続いてマゼンタ、シアン及びブラックの順に行われて、前記中間転写媒体上にカラー画像が形成される。そして、ブラックの像形成工程中に二次転写ローラを、前記中間転写媒体に当接させることで、当該中間転写媒体上のカラー画像を所定の記録媒体に二次転写することができる。
【０００６】
このような画像形成装置では、単にカラー画像を形成するためのカラー印字モード以外に、ブラックトナーのみに係る像形成工程を実行して、モノクロ画像を形成する単色印字モードを実行可能となっている。そして、前記カラー印字モードか前記単色印字モードかを問わず、所定の当接タイミングで二次転写ローラを前記中間転写媒体に当接させて二次転写処理を行っていた。そのため、前記カラー印字モード、前記単色印字モードうちの一方に適した当接タイミングの制御しか実行出来ないという問題があった。
【０００７】
このような問題を解決するために、例えば、特開２００５−１１４８４４号公報（特許文献１）には、前記二次転写手段が、前記中間転写媒体に対して離当接自在となっており、前記中間転写媒体（中間転写ベルト）への二次転写手段（二次転写ローラ）の当接タイミングが、前記カラー印字モードと前記単色印字モードとで相違している画像形成装置が開示されている。これにより、各印字モードに適した当接タイミングで二次転写ローラを前記中間転写媒体に当接させることが可能となり、前記中間転写媒体への二次転写ローラの当接による影響を印字モードごとに改善して良好な画像形成を行うことが出来るとしている。
【先行技術文献】
【特許文献】
【０００８】
【特許文献１】特開２００５−１１４８４４号
【発明の概要】
【発明が解決しようとする課題】
【０００９】
しかしながら、前記特許文献１に記載の発明では、各印字モード毎に当接タイミングを改善することは出来るものの、印刷頻度に対応した場合にまで当接タイミングを適正化することが出来ないという問題がある。
【００１０】
又、上述した画像形成装置では、前記中間転写媒ベルトへの二次転写ローラの接離をカムの回転により制御しており、当該カムの回転は、カムモータによりなされている。前記画像形成装置では、通常、印刷開始時に、前記カムモータを駆動して、前記中間転写ベルトへ前記二次転写ローラを押圧させ、当該印刷完了後から所定時間経過すると、又、前記カムモータを駆動して、前記中間転写ベルトから前記二次転写ローラを離間させる。
【００１１】
ここで、前記カムモータの駆動を繰り返し実行すると、当該カムモータの寿命が短くなり、早期に交換しなければならなくなる。一方、前記カムモータの駆動を抑えるために、例えば、前記中間転写ベルトに前記二次転写ローラを押圧させたままの状態で、長時間放置すると、当該中間転写ベルトに強い圧力が印加されたままの状態となり、当該中間転写ベルトは損傷したり凹んだり緩んだりする。このような中間転写ベルトの損傷、凹み又は緩みは、画像形成における画像抜けなどの二次的な問題を誘発する。
【００１２】
そこで、前記中間転写ベルトへの二次転写ローラの押圧、離間のタイミングについては、最適化をする必要がある。
【００１３】
例えば、印刷完了後から次の印刷が即時に開始される場合には、前記中間転写ベルトに前記二次転写ローラを押圧させたままの状態にしておけば、次の印刷の際に、即時に印刷出来る状態とすることが出来るとともに、前記二次転写ローラの離間をする必要が無くなる。そのため、当該二次転写ローラの離間に要するカムモータの駆動を省略することが出来、当該カムモータの短寿命化を抑えることが出来る可能性がある。
【００１４】
一方、印刷完了後から次の印刷が実施されるまでの時間が、前記二次的な問題の生じる可能性があるほど長い場合には、前記中間転写ベルトから前記二次転写ローラを即時に離間させた方が、当該中間転写ベルトへの損傷を防止することが出来る可能性がある。
【００１５】
そこで、本発明は、前記問題を解決するためになされたものであり、二次転写ローラを接離するモータの長寿命化と、当該二次転写ローラの押圧による中間転写ベルトの損傷防止とを両立することが可能な画像形成装置及び画像形成方法を提供することを目的とする。
【課題を解決するための手段】
【００１６】
上述した課題を解決し、目的を達成するために、本発明に係る画像形成装置は、印刷開始時に中間転写ベルトに二次転写ローラを当接（押圧）し、当該印刷完了時からの経過時間が予め設定された所定のローラ離間時間を超過すると、前記中間転写ベルトから前記二次転写ローラを離間する画像形成装置を前提とし、以下の構成を採用とする。
【００１７】
即ち、前記画像形成装置は、前記印刷完了時から次の印刷開始時までの次印刷開始時間を計測する時間計測手段と、前記次印刷開始時間と前記ローラ離間時間とを比較して、当該次印刷開始時間が当該ローラ離間時間よりも短いか長いかを判定する時間判定手段とを備える。又、前記画像形成装置は、前記判定の結果、前記次印刷開始時間が前記ローラ離間時間よりも短い場合、当該ローラ離間時間を長く変更し、前記次印刷開始時間が前記ローラ離間時間よりも長い場合、当該ローラ離間時間を短く変更する時間変更手段を備える。
【００１８】
これにより、前記次印刷開始時間が前記ローラ離間時間よりも短い場合、前記ローラ離間時間を長期化することで、印刷完了毎の前記二次転写ローラの離間に要するカムモータの駆動を省略し、当該カムモータの寿命を延長することが可能となる。又、前記次印刷開始時間が前記ローラ離間時間よりも長い場合、前記ローラ離間時間を短期化することで、印刷完了後、前記二次転写ローラを素早く離間させ、当該二次転写ローラの当接（押圧）による前記中間転写ベルトの損傷を回避することが可能となる。
【００１９】
又、前記時間判定手段は、今まで計測された所定数の次印刷開始時間の平均値を算出して、当該算出された平均値を前記次印刷開始時間とするよう構成することが出来る。
【００２０】
又、前記時間計測手段は、前記印刷完了時からの経過時間が、予め設定されたスリープ時間を超過すると、当該スリープ時間を次印刷開始時間として計測するよう構成することが出来る。
【００２１】
又、前記時間変更手段は、前記次印刷開始時間が前記ローラ離間時間よりも短い場合、短い次印刷開始時間が代入される程、長いローラ離間時間が出力される式であって、且つ、出力されるローラ離間時間が前記スリープ時間を超過した際に、当該スリープ時間と同一の値が出力される式を用いて前記ローラ離間時間を長く変更するよう構成することが出来る。又、前記時間変更手段は、前記次印刷開始時間が前記ローラ離間時間よりも長い場合、長い次印刷開始時間が代入される程、短いローラ離間時間が出力される式であって、且つ、出力されるローラ離間時間が負の値となった際に、０ｓｅｃの値が出力される式を用いて前記ローラ離間時間を短く変更するよう構成することが出来る。
【００２２】
又、本発明は、印刷開始時に中間転写ベルトに二次転写ローラを当接し、当該印刷完了時からの経過時間が予め設定された所定のローラ離間時間を超過すると、前記中間転写ベルトから前記二次転写ローラを離間する画像形成装置の画像形成方法として提供することが出来る。
【００２３】
即ち、前記画像形成方法は、前記印刷完了時から次の印刷開始時までの次印刷開始時間を計測する時間計測ステップと、前記次印刷開始時間と前記ローラ離間時間とを比較して、当該次印刷開始時間が当該ローラ離間時間よりも短いか長いかを判定する時間判定ステップとを備える。又、前記画像形成方法は、前記判定の結果、前記次印刷開始時間が前記ローラ離間時間よりも短い場合、当該ローラ離間時間を長く変更し、前記次印刷開始時間が前記ローラ離間時間よりも長い場合、当該ローラ離間時間を短く変更する時間変更ステップを備える。このように構成したとしても、上述と同様の効果を得ることが可能となる。
【００２４】
又、本発明は、電気通信回線などを介して個別に流通する、コンピュータに実行させるためのプログラムとして提供することが出来る。この場合、中央演算処理装置（ＣＰＵ）が、本発明のプログラムに従ってＣＰＵ以外の各回路と協働して制御動作を実現する。
【００２５】
又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２６】
本発明に係る画像形成装置及び画像形成方法では、二次転写ローラを接離するモータの長寿命化と、当該二次転写ローラの押圧による中間転写ベルトの損傷防止とを両立することが可能となる。
【図面の簡単な説明】
【００２７】
【図１】本発明の実施形態に係る画像形成装置の概略模式図である。
【図２】本発明の実施形態に係る現像ユニットの一例を示す図である。
【図３】本発明の実施形態に係る画像形成装置の制御系ハードウェアの概略構成図である。
【図４】本発明の実施形態に係る画像形成装置の機能ブロック図である。
【図５】本発明の実施形態の実行手順を示すための第一のフローチャートである。
【図６】本発明の実施形態の実行手順を示すための第二のフローチャートである。
【図７】本発明の実施形態における印刷完了時からの経過時間がローラ離間時間を超過する前に次の印刷が開始された場合の時系列チャート（図７（Ａ）））と、印刷完了時からの経過時間がローラ離間時間を超過した後に次の印刷が開始された場合の時系列チャート（図７（Ｂ）））である。
【図８】本発明の実施形態に係る時間テーブルの一例を示す図である。
【発明を実施するための最良の形態】
【００２８】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２９】
＜画像形成装置＞
以下、本発明に係る画像形成装置１について説明する。
【００３０】
図１は、本実施形態の画像形成装置１の概略構成図である。
【００３１】
画像形成装置１は、画像データに基づいてトナー画像を形成するタンデム式の画像形成部Ａ１、用紙を収容する用紙収容部２、前記形成されたトナー画像を用紙上に転写する二次転写部３を備えている。又、前記転写されたトナー画像を用紙上に定着させる定着部４、定着の完了した用紙を排紙する排紙装置５及び前記排紙された用紙を受ける排紙トレイ７を備える。更に、画像形成装置１は、用紙収容部２から排紙装置５まで用紙を搬送する用紙搬送部６を備えている。
【００３２】
前記画像形成部Ａ１は、中間転写ベルトＢ１（中間転写体）、クリーニング部Ｂ２、イエロー（Ｙ）、マゼンタ（Ｍ）、シアン（Ｃ）、ブラック（Ｂ）の各色にそれぞれ対応した画像形成ユニットＦＹ、ＦＭ、ＦＣ、ＦＢを備える。前記中間転写ベルトＢ１は、導電性を有する使用可能な用紙搬送方向に直角な方向の長さが最大の用紙より幅広であって、無端状（ループ状）のベルト状部材であり、図１において時計回りに循環駆動される。
【００３３】
前記画像形成ユニットＦＹ、ＦＭ、ＦＣ、ＦＢは、前記中間転写ベルトＢ１に沿って、その移動方向において、前記クリーニング部Ｂ２より下流かつ前記二次転写部３の上流に、この順に配される。
【００３４】
次に、前記画像形成装置１の画像形成動作を説明する。図２は、画像形成ユニットＦＹ、ＦＭ、ＦＣ、ＦＢの１つの詳細図である。各画像形成ユニットＦＹ、ＦＭ、ＦＣ、ＦＢはほぼ同等な構成となっている。
【００３５】
前記画像形成ユニットＦＹは、感光体ドラム（像担持体）１０、帯電器１１、ＬＥＤ露光装置１２、黄色用の現像装置ＨＹ、一次転写ローラ（電圧印加部）２０、クリーニングブレード３５、除電装置１３、キャリア液除去ローラ（キャリア除去部材）３０を備える。尚、他の画像形成ユニットＦＭ、ＦＣ、ＦＢはそれぞれの色に対応した現像装置ＨＭ、ＨＣ、ＨＢを備える。
【００３６】
前記感光体ドラム１０は、その表面に帯電（本実施形態ではプラス極性に帯電）したトナーを含むトナー像を担持する。又、前記感光体ドラム１０は、中間転写ベルトＢ１の表面に、所定の一次転写位置１０Ｓにて接するようになっている。そして、前記感光体ドラム１０は、一次転写位置１０Ｓでの移動方向が中間転写ベルトＢ１の移動方向と同方向になるように、つまり、図２においては反時計回りに回転可能である。
【００３７】
前記クリーニングブレード３５、前記除電装置１３、前記帯電器１１、前記露光装置１２、黄色用の現像装置ＨＹは、前記感光体ドラム１０の回りに、上述の回転方向に沿って、一次転写位置から見てこの順に配される。
【００３８】
前記帯電器１１は、前記感光体ドラム１０表面を一様に帯電させる。前記露光装置１２は、ＬＥＤ等の光源を有し、上位装置からの画像データに応じて、帯電した感光体ドラム１０表面を画像データに応じた光で照射し、感光体ドラム１０の表面に静電潜像を形成する。
【００３９】
黄色用の現像装置ＨＹは、黄色のトナー及び液体のキャリアを含む現像剤を前記静電潜像に対向するように保持することで、当該静電潜像にトナーを付与し、当該静電潜像をトナー像として現像する。このトナー像は一次転写ローラ２０によって中間転写ベルトＢ１に一次転写される。一次転写ローラ２０の詳細については後述する。
【００４０】
前記クリーニングブレード３５は、感光体ドラム１０に接するように配されたブレード状の部材であり、一次転写後、前記感光体ドラム１０の表面に残留した現像剤を除去する。
【００４１】
前記除電装置１３は光源を備え、クリーニングブレード３５による現像剤除去後、感光体ドラム１０の表面を光源からの光によって除電し、次の画像形成に備える。
【００４２】
前記一次転写ローラ２０は、中間転写ベルトＢ１の裏面に、中間転写ベルトＢ１の移動方向において前記一次転写位置１０Ｓより下流の電圧印加位置２０Ｓで接するように配される。一次転写ローラ２０には、図示しない電源からトナー像中のトナーとは逆極性（本実施形態ではマイナス）の電圧を印加されるようになっている。つまり、一次転写ローラ２０は、前記電圧印加位置２０Ｓにて前記中間転写ベルトＢ１にトナーと逆極性の電圧を印加する。前記中間転写ベルトＢ１は導電性を有するので、この印加電圧によって、電圧印加位置２０Ｓの中間転写ベルトＢ１の表面側及びその周辺にトナーが引き付けられる。
【００４３】
前記一次転写位置１０Ｓは、前記印加電圧によって、トナーが中間転写ベルトＢ１側に引き付けられる範囲内に配置される。その結果、前記感光体ドラム１０から前記中間転写ベルトＢ１の表面へトナーが移動し、一次転写が行われる。
【００４４】
一次転写時には、トナーと共にキャリアも前記感光体ドラム１０から前記中間転写ベルトＢ１へと少量転移することがある。このキャリアの転移は、下流側の画像形成部における一次転写を妨げて画像のぼけ及びにじみ等の画像の不具合を引き起こす。前記キャリア除去ローラ３０が、中間転写ベルトＢ１の移動方向において前記電荷印加位置２０Ｓよりも下流で中間転写ベルトＢ１の表面に接するように配置され、このような画像の不具合を防止する。
【００４５】
クリーニングユニット３１は、前記キャリア除去ローラ３０の表面に接することでキャリア除去ローラ３０表面に付着したキャリアを除去するキャリア除去ブレード３１ｂと、前記キャリア除去ローラ３０及び前記クリーニングブレード３５から除去されたキャリア及び現像剤（トナー及びキャリアを含む）をクリーニングユニット３１の外部に搬送する搬送部材３１ｃを備える。
【００４６】
次に、現像装置ＨＹの構成について説明する。各色の現像装置ＨＹ、ＨＭ、ＨＣ、ＨＢの構成は同等である。
【００４７】
現像装置ＨＹは、現像容器４０、現像ローラ４０ａ、供給ローラ４０ｂ、汲み上げローラ４０ｃ、撹拌スパイラル４０ｄ及び４０ｅ、クリーニングブレード４５、並びに供給ローラドクターブレード４０ｇを備える。
【００４８】
前記現像容器４０は、内部に黄色のトナー粒子と液体のキャリアからなる現像剤を貯留する。前記撹拌スパイラル４０ｄ及び４０ｅは、前記現像容器４０の現像剤に全体が浸るように設けられ、現像剤を撹拌する。
【００４９】
前記汲み上げローラ４０ｃは現像容器４０の現像剤にその一部が浸るように配置され、現像剤をその表面に付着させて汲み上げる。この汲み上げローラ４０ｃに接するようにして供給ローラ４０ｂが配置され、汲み上げローラ４０ｃから現像剤の供給を受ける。
【００５０】
前記供給ローラ４０ｂの回転方向の汲み上げローラ４０ｃと接する位置の下流側に、前記供給ローラ４０ｂの表面の現像剤の層厚を規制する供給ローラドクターブレード４０ｇが設けられる。又、前記供給ローラ４０ｂと接するように現像ローラ４０ａ（現像器ともいう）が配置され、その表面に前記供給ローラ４０ｂから現像剤が付与される。この現像ローラ４０ａは感光体ドラム１０と接し、感光体ドラム１０の表面の静電潜像の電位と現像ローラ４０ａに印加される現像バイアス値の電位差によって上位装置から形成指示された画像に応じたトナー像が感光体ドラム１０表面に形成される（現像動作）。
【００５１】
感光体ドラム１０への現像動作を終えた現像ローラ４０ａの表面の現像剤は、クリーニングブレード４５によって除去され、クリーニングブレード４５の表面に沿って流下し図示しない流路を通って現像容器４０に貯留される。
【００５２】
このような構成の下、ユーザから画像形成の指示を受けた画像形成装置１は、指示を受けた画像データに対応した各色のトナー像を画像形成ユニットＦＹ、ＦＭ、ＦＣ、ＦＢを用いて形成する。各画像形成ユニットで形成されたトナー像は中間転写ベルトＢ１に転写されて、中間転写ベルトＢ１上で重ね合わされてカラートナー像となる。
【００５３】
このカラートナー像の形成と同期して用紙収容部２に収容されている用紙が図示しない給紙装置で用紙収容部２から一枚ずつ取り出されて、用紙搬送部６上を搬送される。そして、用紙は中間転写ベルトＢ１への一次転写とタイミングを合わせて二次転写部３に送り込まれ、当該用紙に、二次転写部３で前記中間転写ベルトＢ１上のカラートナー像が二次転写される。
【００５４】
前記二次転写部３には、前記中間転写ベルトＢ１に一次転写されたカラートナー像を用紙に二次転写させる二次転写ローラ３ａが設けられている。前記二次転写ローラ３ａは、図示しない電圧印加部により、前記中間転写ベルトＢ１に形成されたカラートナー像を用紙に転写させるための電圧（二次転写バイアス）が印加される。又、前記二次転写ローラ３ａは、当該二次転写ローラに当接する所定のカムと、当該カムを回転させるカムモータとにより、中間転写ベルトＢ１に対して当接（押圧）又は離間される。前記カムモータが、前記画像形成装置１の指示により、前記カムモータを所定回数回転させると、当該カムの回転に応じて、前記二次転写ローラ３ａが前記中間転写ベルトＢ１に当接するよう構成されている。前記二次転写ローラ３ａを前記中間転写ベルトＢ１から離間する場合も、前記カムモータの回転によりなされる。
【００５５】
さて、前記カラートナー像が転写された用紙は、更に、定着部４に搬送されて熱と圧力によりカラートナー像が用紙に定着される。そして、当該用紙は、排紙装置５によって画像形成装置１の外周に設けられた排紙トレイ７に排紙される。二次転写後、中間転写ベルトＢ１に残留したトナーは、当該中間転写ベルトＢ１のクリーニング部Ｂ２によって除去される。
【００５６】
図３は、本実施形態における画像形成装置１の制御関連の概略構成図である。
【００５７】
画像形成装置１は、ＣＰＵ（Ｃｅｎｔｒａｌ  Ｐｒｏｃｅｓｓｉｎｇ  Ｕｎｉｔ）３０１、ＲＡＭ（Ｒａｎｄｏｍ  Ａｃｃｅｓｓ  Ｍｅｍｏｒｙ）３０２、ＲＯＭ（Ｒｅａｄ  Ｏｎｌｙ  Ｍｅｍｏｒｙ）３０３、ＨＤＤ（Ｈａｒｄ  Ｄｉｓｋ  Ｄｒｉｖｅ）３０４及び前記印刷における各駆動部３０７に対応するドライバ３０５が内部バス３０６を介して接続されている。前記ＣＰＵ３０１は、例えば、前記ＲＡＭ３０２を作業領域として利用し、前記ＲＯＭ３０３や前記ＨＤＤ３０４等に記憶されているプログラムを実行し、当該実行結果に基づいて前記ドライバ３０５とデータや命令を授受することにより、図１に示した各駆動部３０７の動作を制御する。又、前記駆動部３０７以外の後述する各手段（図４に示す）についても、前記ＣＰＵ３０１がプログラムを実行することで各手段として動作する。
【００５８】
＜本発明の実施形態＞
次に図４、図５、図６を参照しながら、本発明の実施形態に係る構成及び実行手順について説明する。図４は、本発明の画像形成装置１の機能ブロック図である。図５は、本発明の実行手順を示すための第一のフローチャートである。図６は、本発明の実行手順を示すための第二フローチャートである。
【００５９】
先ず、ユーザが、画像形成装置１に画像形成の指示を入力すると、当該画像形成装置１の機能提供手段４０１が、前記指示に係る設定条件と画像データとに基づいてプリンタ機能の提供、つまり、印刷を開始する（図５：Ｓ１０１）。
【００６０】
ここで、前記機能提供手段４０１が印刷を開始すると、前記画像データに対応するトナー像を中間転写ベルトＢ１に形成する（一次転写）。次に、前記機能提供手段４０１は、所定のタイミングで、二次転写する旨をローラ接離手段４０２に通知する。当該ローラ接離手段４０２は、二次転写ローラ３ａの接離に対応するカムモータ４０３の状態に基づいて、当該二次転写ローラ３ａが前記中間転写ベルトＢ１から離間しているか前記中間転写ベルトＢ１に当接（押圧）しているか検知する（図５：Ｓ１０２）。
【００６１】
前記検知の結果、前記二次転写ローラ３ａが前記中間転写ベルトＢ１から離間している場合（図５：１０２ＹＥＳ）、前記ローラ接離手段４０２は、前記カムモータ４０３を所定回数だけ回転させて、当該二次転写ローラ３ａを前記中間転写ベルトＢ１に当接させる（図５：Ｓ１０３）。これにより、二次転写可能な状態となる。
【００６２】
一方、前記二次転写ローラ３ａが前記中間転写ベルトＢ１に当接している場合（図５：１０２ＮＯ）、前記ローラ接離手段４０２は、この状態を維持する。
【００６３】
さて、前記二次転写ローラ３ａが前記中間転写ベルトＢ１に当接された状態となると、前記機能提供手段４０１は、前記中間転写ベルトＢ１と前記二次転写ローラ３ａとの間に用紙を搬送させて、当該用紙に当該中間転写ベルトＢ１に転写させたトナー像を転写（二次転写）させる。そして、前記機能提供手段４０１は、前記トナー像を熱と圧力により用紙に定着させて、当該用紙を排紙トレイ７に排紙し、印刷を実行する（図５：Ｓ１０４）。
【００６４】
ここで、前記機能提供手段４０１が、印刷の実行を完了すると、その旨を時間計測手段４０４に通知する。当該通知を受けた時間計測手段４０４は、タイマ４０５を起動し、前記印刷完了時からの経過時間を計時して、当該印刷完了時から次の印刷開始時までの時間（次印刷開始時間とする）の計測を開始する（図５：Ｓ１０５）。
【００６５】
次に、前記時間計測手段４０４は、前記機能提供手段４０１を監視して、次の印刷が開始されるか否かを検知するとともに、所定の第一のメモリ４０６に記憶（設定）されたローラ離間時間（例えば、６０ｓｅｃ）と、所定の第二のメモリ４０７に予め記憶（設定）されたスリープ時間（前記画像形成装置１が印刷を完了した時点から省電力状態であるスリープ状態へ遷移するために要するスリープ状態遷移時間、例えば、６００ｓｅｃ）とを読み取る。
【００６６】
そして、前記時間計測手段４０４は、前記タイマ４０５が計時している経過時間と前記ローラ離間時間とを比較して、当該経過時間が当該ローラ離間時間を超過したか否かを判定する（図５：Ｓ１０６）。又、前記時間計測手段４０４は、前記経過時間と前記スリープ時間とを比較して、当該経過時間が当該ローラ離間時間を超過したか否かを判定する（図５：Ｓ１０７）。尚、前記ローラ離間時間は、通常、前記スリープ時間と同一又は当該スリープ時間よりも短く設定される。
【００６７】
ここで、図７（Ａ）に示すように、前記印刷完了時点７０１からの経過時間が、前記ローラ離間時間を超過する時点７０２よりも前で（図５：Ｓ１０６ＮＯ）、且つ、前記スリープ時間を超過する時点７０３よりも前に（図５：Ｓ１０７ＮＯ）、次の印刷が開始された場合７０４は（図５：Ｓ１０８ＹＥＳ）、以下のようになる。
【００６８】
即ち、前記経過時間が前記ローラ離間時間を超過する前に（図５：Ｓ１０６ＮＯ）、ユーザが、前記画像形成装置１に画像形成の指示を更に入力すると、前記機能提供手段４０１が、当該指示に係る設定条件と画像データとに基づいて次の印刷を開始する（図５：Ｓ１０８ＹＥＳ）。
【００６９】
ここで、前記機能提供手段４０１を監視していた時間計測手段４０４は、当該機能提供手段４０１が次の印刷を開始することを検知し、前記タイマ４０５が計時する経過時間（例えば、３０ｓｅｃ）を取得する（図６：Ｓ２０１）。当該経過時間は、前記印刷完了時から次の印刷開始時までの時間（次印刷開始時間）となる。これにより、前記次印刷開始時間の計測が完了する。
【００７０】
次に、前記時間計測手段４０４は、前記次印刷開始時間の計測を完了した旨を時間判定手段４０８に通知する。当該通知を受けた時間判定手段４０８は、先ず、先ほど計測された次印刷開始時間を前記時間計測手段４０４から受信し、時間記憶手段４０９に予め記憶された時間テーブル８００を参照する（図６：Ｓ２０２）。
【００７１】
前記時間テーブル８００には、図８に示すように、前記画像形成装置１の印刷実行により今まで計測された所定数の次印刷開始時間８０１が、最上段を最近計測された次印刷開始時間として下段に向かって時系列的に並んで記憶されている。
【００７２】
前記時間テーブル８００を参照した時間判定手段４０８は、当該時間テーブル８００の最上段に、先ほど受信した次印刷開始時間（３０ｓｅｃ）を記憶させる。次に、前記時間判定手段４０８は、前記時間テーブル８００に記憶された次印刷開始時間のうち、最上段から下段に向かって所定数（例えば、１０個）の次印刷開始時間８０２を読み取るとともに、当該読み取った所定数の次印刷開始時間８０２の平均値を算出する（図６：Ｓ２０３）。
【００７３】
例えば、図８に示す時間テーブル８００であれば、前記時間判定手段４０８が、最上段から下段に向かって読み取った所定数（１０個）の次印刷開始時間８０２「３０ｓｅｃ・・・１０ｓｅｃ」に基づいてその平均値「２０ｓｅｃ」を算出する。
【００７４】
そして、前記時間判定手段４０８は、前記算出した平均値を、前記ローラ離間時間と比較するための次印刷開始時間とする。これにより、前記次印刷開始時間、つまり、各印刷毎の印刷間隔のうち、最近のユーザの印刷実行の傾向を反映した印刷間隔に基づいて、前記ローラ離間時間を変更することが可能となる。言い換えると、前記画像形成装置１に対する最近のユーザの使用頻度に応じて、前記二次転写ローラ３ａの当接・離間のタイミングを調整することが可能となる。
【００７５】
次に、前記時間判定手段４０８は、前記第一のメモリ４０６からローラ離間時間（６０ｓｅｃ）を取得して、平均値である次印刷開始時間（例えば、２０ｓｅｃ）と前記ローラ離間時間（６０ｓｅｃ）とを比較し、両者が同一か否かを判定する（図６：２０４）。
【００７６】
ここで、前記同一か否かの判定は、例えば、四捨五入などの処理により、平均値である次印刷開始時間の値の有効桁数と、前記ローラ離間時間の値の有効桁数とを揃えた上でなされる。
【００７７】
前記判定の結果、前記次印刷開始時間が前記ローラ離間時間と同一である場合（図６：Ｓ２０４ＹＥＳ）、当該次印刷開始時間に基づいてローラ離間時間を特に変更する必要がないため、前記時間判定手段４０８は、その旨を前記機能提供手段４０１に通知する。当該通知を受けた機能提供手段４０１は、上述では、前記印刷を実行する必要があるため（図６：Ｓ２０８ＹＥＳ）、Ｓ１０２に移行し、上述したように、例えば、前記一次転写、前記二次転写ローラ３ａの当接・離間の検知などの処理を実行する。Ｓ１０２以降の処理については、上述と同様であるため、その説明を割愛する。
【００７８】
一方、Ｓ２０４において、前記判定の結果、前記次印刷開始時間が前記ローラ離間時間と同一でない場合（図６：Ｓ２０４ＮＯ）、前記次印刷開始時間に基づいてローラ離間時間を変更（最適化）する必要があるため、前記時間判定手段４０８は、更に、前記次印刷開始時間が前記ローラ離間時間よりも短いか長いかを判定する（図６：２０５）。
【００７９】
前記判定の結果、前記次印刷開始時間（２０ｓｅｃ）が前記ローラ離間時間（６０ｓｅｃ）よりも短い場合（図６：２０５ＹＥＳ）、前記時間判定手段４０８は、その旨を時間変更手段４１０に通知する。当該通知を受けた時間変更手段４１０は、前記ローラ離間時間を長く変更する（図６：２０６）。
【００８０】
前記時間変更手段４１０が前記ローラ離間時間を長く変更する方法は、どのような方法でも構わないが、例えば、以下の方法が採用される。
【００８１】
即ち、前記時間変更手段４１０は、演算式記憶手段４１１に予め記憶された第一の式を参照し、当該第一の式に、前記次印刷開始時間を代入する。前記第一の式は、短い次印刷開始時間が代入される程、長いローラ離間時間が出力される式であって、且つ、出力されるローラ離間時間が前記スリープ時間を超過した際に、当該スリープ時間と同一の値が出力される式である。前記第一の式は、例えば、以下のように与えられる。
【００８２】
Ｔ＝Ｔ０＋（Ｔ０−ｔ）＊Ａ
ここで、Ｔ（ｓｅｃ）は、ローラ離間時間であり、Ｔ０（ｓｅｃ）は、最初に設定されるローラ離間時間（例えば、６０ｓｅｃ）であり、ｔ（ｓｅｃ）は、次印刷開始時間であり、Ａ（−）は、重み係数（例えば、６）である。
【００８３】
例えば、前記第一の式に、前記次印刷開始時間である２０ｓｅｃが代入されると、前記ローラ離間時間として３００ｓｅｃが出力される。当該出力されるローラ離間時間は、Ｔ０と比較すると、長期化された時間である。前記時間変更手段４１０は、長期化されたローラ離間時間を取得することになる（図６：Ｓ２０６）。
【００８４】
そして、前記時間変更手段４１０が、前記第一の式により長期化されたローラ離間時間（例えば、３００ｓｅｃ）を取得すると、前記第一のメモリ４０６に記憶されたローラ離間時間（６０ｓｅｃ）を、前記長期化されたローラ離間時間（３００ｓｅｃ）に書き換える（図６：Ｓ２０７）。
【００８５】
これにより、前記ローラ離間時間を長期化することで、印刷完了しても、前記二次転写ローラ３ａを前記中間転写ベルトＢ１に当接させ続けることが出来る。ここで、前記次印刷開始時間が短いことは、現実には、ユーザが前記画像形成装置１を頻繁に利用していることに対応するから、前記二次転写ローラ３ａの当接の継続により、後続に発生した次の印刷を連続して実行することが可能となる。つまり、印刷完了毎の前記二次転写ローラ３ａの離間を省略することが可能となる。そのため、当該二次転写ローラ３ａの離間に要するカムモータ４０３の駆動を省略することが可能となり、当該カムモータ４０３の寿命を延長することが可能となる。
【００８６】
さて、前記時間変更手段４１０が、前記ローラ離間時間を長く変更すると、その旨を前記機能提供手段４０１に通知する。当該通知を受けた機能提供手段４０１は、前記印刷を実行する必要があるため（図６：Ｓ２０８ＹＥＳ）、Ｓ１０２に移行し、上述したように、例えば、前記一次転写などの処理を実行することになる。
【００８７】
一方、Ｓ２０５において、前記判定の結果、前記次印刷開始時間（例えば、１２０ｓｅｃ）が前記ローラ離間時間（６０ｓｅｃ）よりも長い場合（図６：Ｓ２０５ＮＯ）、前記時間判定手段４０８は、その旨を時間変更手段４１０に通知する。当該通知を受けた時間変更手段４１０は、前記ローラ離間時間を短く変更する（図６：Ｓ２０９）。
【００８８】
尚、前記経過時間が前記ローラ離間時間を超過する前に（図５：Ｓ１０６ＮＯ）、次の印刷が開始されたにも関わらず（図５：Ｓ１０８ＹＥＳ）、前記次印刷開始時間が、当該ローラ離間時間よりも長い場合は、例えば、前記時間テーブル８００に、前記ローラ離間時間よりも長い次印刷開始時間（例えば、１００ｓｅｃ、２００ｓｅｃなど）が複数記憶されている場合に対応する。
【００８９】
ここで、前記時間変更手段４１０が前記ローラ離間時間を短く変更する方法は、どのような方法でも構わないが、例えば、以下の方法が採用される。
【００９０】
即ち、前記時間変更手段４１０は、前記演算式記憶手段４１１に予め記憶された第二の式を参照し、当該第二の式に、前記次印刷開始時間を代入する。前記第二の式は、長い次印刷開始時間が代入される程、短いローラ離間時間が出力される式であって、且つ、出力されるローラ離間時間が負の値となった際に、０ｓｅｃの値が出力される式である。前記第二の式は、例えば、以下のように与えられる。
【００９１】
Ｔ＝Ｔ０−（ｔ−Ｔ０）＊Ｂ
ここで、Ｔ（ｓｅｃ）は、ローラ離間時間であり、Ｔ０（ｓｅｃ）は、最初に設定されるローラ離間時間（例えば、６０ｓｅｃ）であり、ｔ（ｓｅｃ）は、次印刷開始時間であり、Ｂ（−）は、重み係数（例えば、１／３）である。尚、前記第二の式では、前記次印刷開始時間として６００ｓｅｃを代入すると、前記ローラ離間時間の最小値として−１２０ｓｅｃという負の値が出力されるため、負の値となった場合には、０ｓｅｃが出力されるよう構成される。
【００９２】
例えば、前記第二の式に、前記次印刷開始時間である１２０ｓｅｃが代入されると、前記ローラ離間時間として４０ｓｅｃが出力される。当該出力されるローラ離間時間は、Ｔ０と比較すると、短期化された時間である。前記時間変更手段４１０は、短期化されたローラ離間時間を取得する（図６：Ｓ２０９）。
【００９３】
そして、前記時間変更手段４１０が、前記第二の式により短期化されたローラ離間時間（４０ｓｅｃ）を取得すると、前記第一のメモリ４０６に記憶されたローラ離間時間（６０ｓｅｃ）を、前記短期化されたローラ離間時間（４０ｓｅｃ）に書き換える（図６：Ｓ２０７）。
【００９４】
これにより、前記ローラ離間時間を短期化することで、印刷完了すると、速やかに前記二次転写ローラ３ａを前記中間転写ベルトＢ１から離間させることが出来る。ここで、前記次印刷開始時間が長いことは、現実には、ユーザが前記画像形成装置１を殆ど利用していない状態に対応するから、前記二次転写ローラ３ａを前記中間転写ベルトＢ１から素早く離間させることで、当該中間転写ベルトＢ１の損傷を回避することが可能となる。
【００９５】
さて、前記時間変更手段４１０が、前記ローラ離間時間を短く変更すると、その旨を前記機能提供手段４０１に通知する。当該通知を受けた機能提供手段４０１は、前記印刷を実行する必要があるため（図６：Ｓ２０８ＹＥＳ）、Ｓ１０２に移行し、上述したように、例えば、一次転写などの処理を実行することになる。
【００９６】
ところで、Ｓ１０６において、前記印刷完了後からの経過時間が、前記ローラ離間時間を超過した場合（図５：Ｓ１０６ＹＥＳ）は、以下のようになる。
【００９７】
即ち、前記経過時間が前記ローラ離間時間（６０ｓｅｃ）を超過すると、前記時間計測手段４０４が、前記タイマ４０５によりそれを判定して（図５：Ｓ１０６ＹＥＳ）、その旨を前記ローラ接離手段４０２に通知する。当該通知を受けたローラ接離手段４０２は、前記カムモータ４０３を所定回数だけ回転させて、前記二次転写ローラ３ａを前記中間転写ベルトＢ１から離間する（図５：Ｓ１０９）。これにより、前記二次転写ローラ３ａは、前記ローラ離間時間に対応して離間制御されることになる。
【００９８】
又、前記時間計測手段４０４は、前記経過時間が前記スリープ時間を超過していない場合（図５：Ｓ１０７ＮＯ）、次の印刷が開始されるのを待ちながら（図５：Ｓ１０８）、前記経過時間が前記スリープ時間を超過するか否かの判定を継続することになる（図５：Ｓ１０７）。
【００９９】
ここで、図７（Ｂ）に示すように、前記経過時間が前記スリープ時間を超過する時点７０３よりも前に（図５：Ｓ１０７ＮＯ）、次の印刷が開始された場合７０５は（図５：Ｓ１０８ＹＥＳ）、Ｓ２０１へ移行し、前記時間計測手段４０４が、前記タイマ４０５の経過時間（例えば、１００ｓｅｃ）を前記次印刷開始時間として取得する（図６：Ｓ２０１）。これにより、上述したローラ離間時間の最適化がなされることになる。尚、Ｓ２０１以降の後の処理については、上述と同様であるため、その説明を割愛する。
【０１００】
一方、次の印刷が開始される前に（図５：Ｓ１０８ＮＯ）、前記経過時間が前記スリープ時間（６００ｓｅｃ）を超過した場合（図５：Ｓ１０７ＹＥＳ）、以下のようになる。
【０１０１】
即ち、ユーザが次の印刷指示を前記画像形成装置１に全く行うことなく、当該画像形成装置１が長期間放置され、前記経過時間が前記スリープ時間を超過すると、前記時間計測手段４０４が、それを判定して（図５：Ｓ１０７ＹＥＳ）、前記タイマ４０５を停止させ、前記スリープ時間（６００ｓｅｃ）を次印刷開始時間として取得する（図６：Ｓ２０１）。
【０１０２】
これにより、前記画像形成装置１が長期間放置された場合には、前記スリープ時間を前記次印刷開始時間として計測して、前記ローラ離間時間の最適化に反映させることが可能となる。
【０１０３】
尚、Ｓ２０１からＳ２０７までの処理については、上述と同様であるため、その説明を割愛する。
【０１０４】
ところで、前記経過時間が前記スリープ時間を超過した後の処理の場合、Ｓ２０８において、前記機能提供手段４０１は、次の印刷を実行する必要がない（図６：Ｓ２０８ＮＯ）。そのため、前記機能提供手段４０１は、画像形成可能な状態から省電力状態であるスリープ状態へ移行し（図６：Ｓ２１０）、全ての処理を完了する。
【０１０５】
これにより、前記経過時間が前記スリープ時間を超過した場合であっても、前記ローラ離間時間の変更（最適化）は実行されることになる。
【０１０６】
このように、本発明に係る画像形成装置１では、前記印刷完了時から次の印刷開始時までの次印刷開始時間を計測する時間計測手段４０４と、前記次印刷開始時間と前記ローラ離間時間とを比較して、当該次印刷開始時間が当該ローラ離間時間よりも短いか長いかを判定する時間判定手段４０８とを備える。又、本発明に係る画像形成装置１では、前記判定の結果、前記次印刷開始時間が前記ローラ離間時間よりも短い場合、当該ローラ離間時間を長く変更し、前記次印刷開始時間が前記ローラ離間時間よりも長い場合、当該ローラ離間時間を短く変更する時間変更手段４１０を備える。
【０１０７】
これにより、前記次印刷開始時間が前記ローラ離間時間よりも短い場合、前記ローラ離間時間を長期化することで、印刷完了毎の前記二次転写ローラ３ａの離間に要するカムモータ４０３の駆動を省略し、当該カムモータ４０３の寿命を延長することが可能となる。又、前記次印刷開始時間が前記ローラ離間時間よりも長い場合、前記ローラ離間時間を短期化することで、印刷完了後、前記二次転写ローラ３ａを前記中間転写ベルトＢ１から素早く離間させ、当該二次転写ローラ３ａの当接による当該中間転写ベルトＢ１の損傷を回避することが可能となる。
【０１０８】
尚、本発明の実施形態では、前記二次転写ローラ３ａの離間を制御する画像形成装置１としてカムモータ４０３を採用したが、これに限られるものでなく、モータを採用して前記二次転写ローラ３ａの離間を制御する画像形成装置１であれば、同様の作用効果を奏する。
【０１０９】
又、本発明の実施形態では、前記時間計測手段４０４が、全ての時間帯で生じる印刷により前記次印刷開始時間を計測するよう構成したが、他の構成でもよい。通常、印刷実行頻度は、１日の時間帯のうち、所定の時間帯に集中する場合が多い。前記時間帯が、例えば、午前９時から１２時までの時間帯、午後１時から６時までの時間帯であれば、前記印刷実行頻度が高くなり、１２時から午後１時までの時間帯、午後６時から午前９時までの時間帯であれば、前記印刷実行頻度が低くなる。そのため、前記時間計測手段４０４は、予め設定された時間帯において、前記次印刷開始時間を計測して、前記ローラ離間時間を最適化するよう構成してもよい。例えば、前記時間帯を、前記印刷実行頻度の高い時間帯に設定すると、前記ローラ離間時間が長期化され易くなり、前記カムモータ４０３の長寿命化を促進することが可能となる。又、前記時間帯を、前記印刷実行頻度の低い時間帯に設定すると、前記ローラ離間時間が短期化され易くなり、前記二次転写ローラ３ａによる中間転写ベルトＢ１への損傷を十分に抑えることが可能となる。
【０１１０】
又、本発明の実施形態では、前記画像形成装置１が、全てのユーザの印刷実行に対して、前記次印刷開始時間を計測し、前記次印刷開始時間と前記ローラ離間時間とを比較判定し、前記ローラ離間時間を変更するよう構成したが、他の構成でも構わない。例えば、前記印刷実行頻度は、ユーザに応じて異なることが多いため、各ユーザ毎に次印刷開始時間を計測し、各ユーザ毎にローラ離間時間を変更するよう構成してもよい。例えば、前記画像形成装置１に、各ユーザ毎に所定のローラ離間時間を予め設定する設定手段と、パスワード入力認証、ＩＤカード認証などによりユーザを認証するユーザ認証手段とを備える。そして、前記ローラ接離手段４０２は、前記ユーザ認証手段により認証されたユーザに対応するローラ離間時間を用いて、二次転写ローラ３ａを制御する。又、前記時間計測手段４０４は、所定のユーザが認証している間（ログイン中）に、前記印刷完了時から次の印刷開始時までの次印刷開始時間を計測し、前記時間判定手段４０８は、当該計測された次印刷開始時間と、前記認証されたユーザに対応するローラ離間時間とを比較し、当該次印刷開始時間が当該ローラ離間時間よりも短いか長いかを判定する。更に、前記時間変更手段４１０は、前記判定の結果、前記次印刷開始時間が前記ローラ離間時間よりも短い場合、前記認証されたユーザに対応するローラ離間時間を長く変更し、前記次印刷開始時間が前記ローラ離間時間よりも長い場合、前記認証されたユーザに対応するローラ離間時間を短く変更する。これにより、各ユーザ毎の印刷実行頻度に応じて、ローラ離間時間を変更（最適化）することが可能となるため、カムモータ４０３の長寿命化と、中間転写ベルトＢ１の損傷防止とを両立をより効率よく図ることが可能となる。
【０１１１】
又、本発明の実施形態では、前記時間テーブル８００に、所定数の次印刷開始時間８０１を、最上段を最近計測された次印刷開始時間として下段に向かって時系列的に並んで記憶するよう構成したが、他の構成でも構わない。例えば、前記時間テーブルに、所定数の次印刷開始時間を、最下段を最近計測された次印刷開始時間として上段に向かって時系列的に並んで記憶するよう構成しても良いし、他の記憶方法であっても構わない。
【０１１２】
又、本発明の実施形態では、画像形成装置１のプリンタ機能の処理に関して採用したが、例えば、ファクシミリ受信機能、コピー機能等に対しても採用できる。
【０１１３】
又、本発明の実施形態では、画像形成装置１が各手段を備えるよう構成したが、当該各手段を実現するプログラムを記憶媒体に記憶させ、当該記憶媒体を提供するよう構成しても構わない。当該構成では、前記プログラムを画像形成装置１に読み出させ、その画像形成装置１が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【０１１４】
以上のように、本発明に係る画像形成装置及び画像形成方法は、通常の画像形成装置はもちろん、複合機、複写機、プリンタ等に有用であり、二次転写ローラを接離するモータの長寿命化と、当該二次転写ローラの押圧による中間転写ベルトの損傷防止とを両立することが可能な画像形成装置及び画像形成方法として有効である。
【符号の説明】
【０１１５】
１  画像形成装置
３ａ  二次転写ローラ
Ｂ１  中間転写ベルト
４０１  機能提供手段
４０２  ローラ接離手段
４０３  カムモータ
４０４  時間計測手段
４０５  タイマ
４０６  第一のメモリ
４０７  第二のメモリ
４０８  時間判定手段
４０９  時間記憶手段
４１０  時間変更手段
４１１  演算式記憶手段
【図１】
0005542773.tif 000002
【図２】
0005542773.tif 000003
【図３】
0005542773.tif 000004
【図４】
0005542773.tif 000005
【図５】
0005542773.tif 000006
【図６】
0005542773.tif 000007
【図７】
0005542773.tif 000008
【図８】
0005542773.tif 000009